【手続補正書】
【提出日】令和2年2月28日(2020.2.28)
【手続補正１】
【補正対象書類名】明細書
【補正対象項目名】発明の名称
【補正方法】変更
【補正の内容】
【発明の名称】半導体装置、表示装置
【手続補正２】
【補正対象書類名】特許請求の範囲
【補正対象項目名】全文
【補正方法】変更
【補正の内容】
【特許請求の範囲】
【請求項１】
第１のスキャンチェーンレジスタと、第２のスキャンチェーンレジスタと、レジスタと、フレームメモリと、コントローラと、画像処理部と、を有する半導体装置であって、
前記フレームメモリは、画像データを格納する機能を有し、
前記画像データは、複数の画素のそれぞれに対応する輝度のデータを有し、
前記コントローラは、前記第１のスキャンチェーンレジスタへの電源供給を制御する機能と、前記第２のスキャンチェーンレジスタへの電源供給を制御する機能と、を有し、
前記第１のスキャンチェーンレジスタは、前記第１のスキャンチェーンレジスタへの電源供給が遮断されている期間において、第１のパラメータのデータを保持する機能と、前記第１のスキャンチェーンレジスタへの電源供給が行われている期間において、前記第１のパラメータのデータを一括で前記レジスタにロードする機能と、を有し、
前記第２のスキャンチェーンレジスタは、前記第２のスキャンチェーンレジスタへの電源供給が遮断されている期間において、第２のパラメータのデータを保持する機能と、前記第２のスキャンチェーンレジスタへの電源供給が行われている期間において、前記第２のパラメータのデータを一括で前記レジスタにロードする機能と、を有し、
前記複数の画素のうち、第１の画素は、前記複数の画素のそれぞれに対応する輝度のうち、最も高い輝度に対して０．９倍より高い輝度に対応し、
前記複数の画素のうち、第２の画素は、前記最も高い輝度に対して０．１倍より低い輝度に対応し、
前記画像処理部は、前記第１の画素に対応する輝度が低くなるよう、前記レジスタからの前記第１のパラメータのデータに従って、前記画像データを補正する機能を有し、
前記画像処理部は、前記第２の画素に対応する輝度が低くなるよう、前記レジスタからの前記第２のパラメータのデータに従って、前記画像データを補正する機能を有する半導体装置。
【請求項２】
第１のスキャンチェーンレジスタと、第２のスキャンチェーンレジスタと、レジスタと、フレームメモリと、コントローラと、画像処理部と、を有する半導体装置であって、
前記フレームメモリは、画像データを格納する機能を有し、
前記画像データは、複数の画素のそれぞれに対応する輝度のデータを有し、
前記コントローラは、前記第１のスキャンチェーンレジスタへの電源供給を制御する機能と、前記第２のスキャンチェーンレジスタへの電源供給を制御する機能と、を有し、
前記第１のスキャンチェーンレジスタは、前記第１のスキャンチェーンレジスタへの電源供給が遮断されている期間において、第１のパラメータのデータを保持する機能と、前記第１のスキャンチェーンレジスタへの電源供給が行われている期間において、前記第１のパラメータのデータを一括で前記レジスタにロードする機能と、を有し、
前記第２のスキャンチェーンレジスタは、前記第２のスキャンチェーンレジスタへの電源供給が遮断されている期間において、第２のパラメータのデータを保持する機能と、前記第２のスキャンチェーンレジスタへの電源供給が行われている期間において、前記第２のパラメータのデータを一括で前記レジスタにロードする機能と、を有し、
前記複数の画素のうち、第１の画素は、前記複数の画素のそれぞれに対応する輝度のうち、最も高い輝度に対して０．９倍より高い輝度に対応し、
前記複数の画素のうち、第２の画素は、前記最も高い輝度に対して０．１倍より低い輝度に対応し、
前記画像処理部は、前記第１の画素に対応する輝度が低くなるよう、前記レジスタからの前記第１のパラメータのデータに従って、前記画像データを補正する機能を有し、
前記画像処理部は、前記第２の画素に対応する輝度が低くなるよう、前記レジスタからの前記第２のパラメータのデータに従って、前記画像データを補正する機能を有し、
前記第１のスキャンチェーンレジスタが有する第１のトランジスタと、前記第２のスキャンチェーンレジスタが有する第２のトランジスタとは、チャネル形成領域に酸化物半導体を含む半導体装置。
【請求項３】
第１のスキャンチェーンレジスタと、第２のスキャンチェーンレジスタと、レジスタと、フレームメモリと、コントローラと、画像処理部と、画素部と、を有する表示装置であって、
前記フレームメモリは、画像データを格納する機能を有し、
前記画像データは、前記画素部が有する複数の画素のそれぞれに対応する輝度のデータを有し、
前記コントローラは、前記第１のスキャンチェーンレジスタへの電源供給を制御する機能と、前記第２のスキャンチェーンレジスタへの電源供給を制御する機能と、を有し、
前記第１のスキャンチェーンレジスタは、前記第１のスキャンチェーンレジスタへの電源供給が遮断されている期間において、第１のパラメータのデータを保持する機能と、前記第１のスキャンチェーンレジスタへの電源供給が行われている期間において、前記第１のパラメータのデータを一括で前記レジスタにロードする機能と、を有し、
前記第２のスキャンチェーンレジスタは、前記第２のスキャンチェーンレジスタへの電源供給が遮断されている期間において、第２のパラメータのデータを保持する機能と、前記第２のスキャンチェーンレジスタへの電源供給が行われている期間において、前記第２のパラメータのデータを一括で前記レジスタにロードする機能と、を有し、
前記複数の画素のうち、第１の画素は、前記複数の画素のそれぞれに対応する輝度のうち、最も高い輝度に対して０．９倍より高い輝度に対応し、
前記複数の画素のうち、第２の画素は、前記最も高い輝度に対して０．１倍より低い輝度に対応し、
前記画像処理部は、前記第１の画素に対応する輝度が低くなるよう、前記レジスタからの前記第１のパラメータのデータに従って、前記画像データを補正する機能を有し、
前記画像処理部は、前記第２の画素に対応する輝度が低くなるよう、前記レジスタからの前記第２のパラメータのデータに従って、前記画像データを補正する機能を有する表示装置。
【請求項４】
第１のスキャンチェーンレジスタと、第２のスキャンチェーンレジスタと、レジスタと、フレームメモリと、コントローラと、画像処理部と、画素部と、を有する表示装置であって、
前記フレームメモリは、画像データを格納する機能を有し、
前記画像データは、前記画素部が有する複数の画素のそれぞれに対応する輝度のデータを有し、
前記コントローラは、前記第１のスキャンチェーンレジスタへの電源供給を制御する機能と、前記第２のスキャンチェーンレジスタへの電源供給を制御する機能と、を有し、
前記第１のスキャンチェーンレジスタは、前記第１のスキャンチェーンレジスタへの電源供給が遮断されている期間において、第１のパラメータのデータを保持する機能と、前記第１のスキャンチェーンレジスタへの電源供給が行われている期間において、前記第１のパラメータのデータを一括で前記レジスタにロードする機能と、を有し、
前記第２のスキャンチェーンレジスタは、前記第２のスキャンチェーンレジスタへの電源供給が遮断されている期間において、第２のパラメータのデータを保持する機能と、前記第２のスキャンチェーンレジスタへの電源供給が行われている期間において、前記第２のパラメータのデータを一括で前記レジスタにロードする機能と、を有し、
前記複数の画素のうち、第１の画素は、前記複数の画素のそれぞれに対応する輝度のうち、最も高い輝度に対して０．９倍より高い輝度に対応し、
前記複数の画素のうち、第２の画素は、前記最も高い輝度に対して０．１倍より低い輝度に対応し、
前記画像処理部は、前記第１の画素に対応する輝度が低くなるよう、前記レジスタからの前記第１のパラメータのデータに従って、前記画像データを補正する機能を有し、
前記画像処理部は、前記第２の画素に対応する輝度が低くなるよう、前記レジスタからの前記第２のパラメータのデータに従って、前記画像データを補正する機能を有し、
前記第１のスキャンチェーンレジスタが有する第１のトランジスタと、前記第２のスキャンチェーンレジスタが有する第２のトランジスタとは、チャネル形成領域に酸化物半導体を含む表示装置。